(57)【要約】【課題】  本発明は容易に耳毛を処理することができる耳毛処理用鏡を得るにある。【解決手段】  反転ミラーを用いた耳毛処理用鏡本体と、この耳毛処理用鏡本体を角度調節機構を介して人体に着脱自在に固定することができる取付手段とで耳毛処理用鏡を構成している。【選択図】図１
2012187362.tif 000002
【特許請求の範囲】
【請求項１】
反転ミラーを用いた耳毛処理用鏡本体と、この耳毛処理用鏡本体を角度調節機構を介して人体に着脱自在に固定することができる取付手段より構成されることを特徴とする耳毛処理用鏡。
【請求項２】
耳毛処理用鏡本体と、この耳毛処理用鏡本体を角度調節機構を介して人体に着脱自在に固定することができる取付手段と、耳毛処理用鏡本体から反射された鏡像をさらに反射し目視することができる位置に角度調節機構を介して設けられた反射鏡とより構成され、前記耳毛処理用鏡本体または前記反射鏡のいずれか一方が反転ミラーであることを特徴とする耳毛処理用鏡。
【請求項３】
前記耳毛処理用鏡本体は、拡大ミラーであることを特徴とする請求項１記載の耳毛処理用鏡。
【請求項４】
前記耳毛処理用鏡本体または前記反射鏡の少なくともいずれか一方が拡大ミラーであることを特徴とする請求項２記載の耳毛処理用鏡。
【発明の詳細な説明】
【技術分野】
【０００１】  本発明は容易に耳毛を処理することができる耳毛処理用鏡に関する。
【背景技術】
【０００２】  従来耳毛を処理する際には、鏡の前に立ち、片手に手鏡を持ち合わせ鏡にしたうえで、もう一方の手に毛抜きや剃刀を持って処理していた。
【先行技術文献】
【特許文献】
【０００３】
【特許文献１】
【発明の概要】
【発明が解決しようとする課題】
【０００４】  従来の方法では合わせ鏡の状態で作業するため、普段見慣れている鏡像とは左右が逆になり、かつ、片手での処理作業となるため、処理作業が容易に行えなかった。そこで本願は、容易に耳毛の処理作業を行うことができる耳毛処理用鏡を提供することを目的としている。
【課題を解決するための手段】
【０００５】  上記目的を達成するために、本発明は反転ミラーを用いた耳毛処理用鏡本体と、この耳毛処理用鏡本体を角度調節機構を介して人体に固定することができる取付手段より耳毛処理用鏡を構成している。
【発明の効果】
【０００６】  請求項１の発明においては、反転ミラーを使用しているので、合わせ鏡状態であっても、見慣れている鏡像と左右の動きが同一なので、左右を意識することなく動かしたい方向に手を動かすことができるので、容易に耳毛の処理を行うことができる。【０００７】  取付手段によって固定することにより、両手を使用することができるので、容易かつ安全に耳毛を処理することができる。【０００８】  角度調節機構により、見やすい角度にミラーを動かすことができるので、容易に耳毛を処理することができる。【０００９】  請求項２の発明においては前記のような効果に加えて、洗面所等の鏡が備え付けられている場所でなくても、耳毛を処理することができる。【００１０】  請求項３、４の発明においては前記のような効果に加えて、拡大ミラーを用いることにより、より容易に耳毛を処理することができる。
【図面の簡単な説明】
【００１１】
【図１】本発明の第１の実施の形態の耳毛処理用鏡の説明図。
【図２】本発明の第１の実施の形態の耳毛処理用鏡の使用状態の平面図。
【図３】本発明の第１の実施の形態の耳毛処理用鏡の使用状態の説明図。
【図４】本発明の第２の実施の形態の耳毛処理用鏡の説明図。
【図５】本発明の第２の実施の形態の耳毛処理用鏡の使用状態の説明図。
【図６】本発明の第３の実施の形態の耳毛処理用鏡の説明図。
【図７】本発明の第３の実施の形態の耳毛処理用鏡の使用状態の説明図。
【図８】本発明の第４の実施の形態の耳毛処理用鏡の説明図。
【図９】本発明の第４の実施の形態の耳毛処理用鏡の使用状態の説明図。
【図１０】本発明の第５の実施の形態の耳毛処理用鏡の説明図。
【図１１】本発明の第５の実施の形態の耳毛処理用鏡の使用状態の説明図。
【図１２】本発明の第６の実施の形態の耳毛処理用鏡の説明図。
【図１３】本発明の第６の実施の形態の耳毛処理用鏡の使用状態の説明図。
【発明を実施するための形態】
【００１２】  図１ないし図３に示す本発明を実施するための第１の形態において、１は耳毛処理用鏡で、この耳毛処理用鏡１は、鏡に写ったもの（鏡像）が左右逆にならない反転ミラーで形成された耳毛処理用鏡本体２と、この耳毛処理用鏡本体２の一端に取付けられた角度調節機構３としてのフレキシブルアーム４と、伸縮材で形成され人体の額部分に着脱自在に取り付けることができるヘアバンド状の取付手段５とで構成されている。
【００１３】  角度調節機構３は、蛇腹状のフレキシブルアーム４で構成されており、一端にはヘアバンド状の取付手段５に固定され、他端には耳毛処理用鏡本体２が取付けられている。
【００１４】  本願発明の耳毛処理用鏡１を使用する場合には、取付手段５により人体の額付近に固定し、洗面所等の鏡６の前で耳毛処理用鏡本体２の鏡像が鏡６に反射され目視できるように耳毛処理用鏡本体２の角度調節を行う。次に片手で耳を支持しながらもう一方の手で毛抜きや剃刀を用いて耳毛を処理する。
耳毛処理用鏡本体２は反転ミラーを用いているので、鏡６に反射される耳毛処理用鏡本体２の鏡像は、通常の鏡像と左右が同一なので、耳毛処理時に戸惑うことなく処理を行うことができる。
【００１５】［発明を実施するための異なる形態］
次に、図４ないし図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１６】  図４および図５に示す本発明を実施するための第２の形態において前記本発明を実施するための第１の形態と主に異なる点は、眼鏡フレーム状の取付手段５Ａと、ボールジョイント７および軸８で構成される角度調節機構３Ａを用いた点で、このような耳毛処理用鏡１Ａにしても、前記本発明を実施するための第１の形態と同様な作用効果が得られる。なお、この形態においては、眼鏡フレーム状の取付手段に拡大レンズ等を取り付けても良い。
【００１７】  図６および図７に示す本発明を実施するための第３の形態において前記本発明を実施するための第１の形態と主に異なる点は、反転ミラーおよび拡大ミラーの機能を有する耳毛処理用鏡本体２Ａにした点で、このような耳毛処理用鏡１Ｂにしても、前記本発明を実施するための第１の形態と同様な作用効果が得られるとともに、拡大ミラーにより細かい作業を容易に行うことができる。
【００１８】  図８および図９に示す本発明を実施するための第４の形態において前記本発明を実施するための第１の形態と主に異なる点は、耳毛処理用鏡本体２と耳毛処理用鏡本体２の鏡像を目視できるように反射できる位置に反射鏡９をそれぞれ角度調節機構３を介して取付手段５に取付けた点で、このような耳毛処理用鏡１Ｃにしても、前記本発明を実施するための第１の形態と同様な作用効果が得られるとともに、洗面所等のような鏡６の設置された場所でなくても耳毛処理を行うことができる。
【００１９】  図１０および図１１に示す本発明を実施するための第５の形態において前記本発明を実施するための第４の形態と主に異なる点は、取付手段５にＴ字型またはＹ字型状に形成された角度調節機構３Ｂを取付け、一方の端部に耳毛処理用鏡本体２Ａを、他端に反射鏡９を取付けた点で、このような耳毛処理用鏡１Ｄにしても、前記本発明を実施するための第１の形態と同様な作用効果が得られる。
【００２０】    図１２および図１３に示す本発明を実施するための第６の形態において前記本発明を実施するための第１の形態と主に異なる点は、通常の鏡をくの字状に形成し反転ミラーとした耳毛処理用鏡本体２Ａにした点で、このような耳毛処理用鏡１Ｅにしても、前記本発明を実施するための第１の形態と同様な作用効果が得られる。
【００２０】  なお、本願発明の第４および第５の実施の形態では耳毛処理用鏡本体２を反転ミラーで構成したものについて説明したが、本願発明はこれに限らず、反射鏡９を反転ミラーで形成してもよい。また、耳毛処理用鏡本体２と反射鏡９のどちらか一方または両方を拡大ミラーで形成してもよい。
取付手段５は本願発明の実施の形態で例示したものに限られず、人体に固定でき、耳毛処理用鏡本体２を所定の位置に位置させることができるものであればよく、必ずしも弾性体を用いなくてもボタン、面ファスナー等のサイズ調節できるものや、リュックのような肩ストラップで人体に固定するもの、帽子のように頭に被って固定するもの、クリップで肩や耳を把持して固定するもの、バンダナ状のもの等でもよく、耳に影ができないように、取付手段５にライト等を取付手段に取り付け、耳を照らせるようにしてもよい。
また、耳が見やすい位置に調整できるように耳毛処理用鏡本体２と反射鏡９の一方または両方に目印を用いても良い。
角度調節機構３は、本願発明の実施の形態で例示したものに限られず、耳毛処理用鏡本体２や反射鏡９の角度を適宜調節できるものであればよく、可撓性材料で形成された線材、変形可能な針金等でも良い。
【符号の説明】
【００２１】１、１Ａ、１Ｂ、１Ｃ、１Ｄ：耳毛処理用鏡、
２：耳毛処理用鏡本体、            ３、３Ａ、３Ｂ：角度調節機構、
４：フレキシブルアーム、          ５、５Ａ：取付手段、
６：鏡、                          ７：ボールジョイント、
８：軸、                          ９：反射鏡。
【図１】
2012187362.tif 000003
【図２】
2012187362.tif 000004
【図３】
2012187362.tif 000005
【図４】
2012187362.tif 000006
【図５】
2012187362.tif 000007
【図６】
2012187362.tif 000008
【図７】
2012187362.tif 000009
【図８】
2012187362.tif 000010
【図９】
2012187362.tif 000011
【図１０】
2012187362.tif 000012
【図１１】
2012187362.tif 000013
【図１２】
2012187362.tif 000014
【図１３】
2012187362.tif 000015